【手続補正書】
【提出日】平成16年6月25日(2004.6.25)
【手続補正１】
【補正対象書類名】明細書
【補正対象項目名】特許請求の範囲
【補正方法】変更
【補正の内容】
【特許請求の範囲】
【請求項１】
物体側より光線が通過する順に、第１透過面、第１反射面、第２反射面、第３反射面、第４反射面、第２透過面を有し、第１透過面と第２反射面、第２透過面と第３反射面を同一の面で構成し、また、第１反射面、第４反射面を前記第１透過面及び前記第２透過面とは別の面で構成し、少なくとも１面の反射面は回転非対称面から構成され、前記第２反射面、前記第３反射面の中、少なくとも１面はパワーを有していることを特徴とするプリズム光学系。
【請求項２】
物体側より光線が通過する順に、第１透過面、第１反射面、第２反射面、第３反射面、第４反射面、第２透過面を有し、第１透過面と第２反射面、第２透過面と第３反射面を同一の面で構成し、また、第１反射面、第４反射面を前記第１透過面及び前記第２透過面とは別の面で構成し、少なくとも１面の反射面は回転非対称面から構成され、物体からの光線がプリズム内で中間像を形成することなく第２透過面を通過後にのみ結像するように構成されていることを特徴とするプリズム光学系。
【請求項３】
物体側より光線が通過する順に、第１透過面、第１反射面、第２反射面、第３反射面、第４反射面、第２透過面を有し、第１透過面と第２反射面、第２透過面と第３反射面を同一の面で構成し、また、第１反射面、第４反射面を前記第１透過面及び前記第２透過面とは別の面で構成し、少なくとも１面の反射面は回転非対称面から構成され、物体からの光線がプリズム内で中間像を形成することなく第２透過面を通過後にのみ虚像を観察者眼球位置に導くように構成されていることを特徴とするプリズム光学系。
【請求項４】
請求項２又は３において、第２反射面、第３反射面の中、少なくとも１面はパワーを有していることを特徴とするプリズム光学系。
【請求項５】
請求項１又は４において、第２反射面、第３反射面の中、少なくとも１面は回転非対称面で構成されていることを特徴とするプリズム光学系。
【請求項６】
請求項１又は４において、全光学系の偏心方向がＹ軸方向で、軸上主光線と平行な面をＹ−Ｚ面とし、そのＹ−Ｚ面と直交する方向をＸ方向とするとき、第２反射面、第３反射面の少なくとも１面の面形状は、Ｘ方向又はＹ方向の少なくとも何れか一方向がその光学有効面内で正から負に変化していることを特徴とするプリズム光学系。
【請求項７】
請求項６において、正から負に変化している回転非対称面は以下の条件式を満たすことを特徴とするプリズム光学系。
０．０１＜｜（ＣＹpos −ＣＹneg ）／ＰY ｜＜１０      ・・・（１）
ただし、ＣＹpos は前記有効面内におけるＹ方向の正の最大曲率、ＣＹneg は前記有効面内におけるＹ方向の負の最大曲率、ＰY はプリズム光学系全体のＹ方向のパワーである。
【請求項８】
請求項６において、正から負に変化している回転非対称面は以下の条件式を満たすことを特徴とするプリズム光学系。
０．０５＜｜（ＣＹpos −ＣＹneg ）／ＰY ｜＜３        ・・・（２）
ただし、ＣＹpos は前記有効面内におけるＹ方向の正の最大曲率、ＣＹneg は前記有効面内におけるＹ方向の負の最大曲率、ＰY はプリズム光学系全体のＹ方向のパワーである。
【請求項９】
請求項６において、正から負に変化している回転非対称面は以下の条件式を満たすことを特徴とするプリズム光学系。
０．０１＜｜（ＣＸpos −ＣＸneg ）／ＰX ｜＜１０      ・・・（３）
ただし、ＣＸpos は前記有効面内におけるＸ方向の正の最大曲率、ＣＸneg は前記有効面内におけるＸ方向の負の最大曲率、ＰX はプリズム光学系全体のＸ方向のパワーとする。
【請求項１０】
請求項６において、正から負に変化している回転非対称面は以下の条件式を満たすことを特徴とするプリズム光学系。
０．０５＜｜（ＣＸpos −ＣＸneg ）／ＰX ｜＜３        ・・・（４）
ただし、ＣＸpos は前記有効面内におけるＸ方向の正の最大曲率、ＣＸneg は前記有効面内におけるＸ方向の負の最大曲率、ＰX はプリズム光学系全体のＸ方向のパワーとする。
【請求項１１】
請求項１又は４において、第２反射面、第３反射面共、回転非対称面で構成されていることを特徴とするプリズム光学系。
【請求項１２】
請求項１１において、第２反射面、第３反射面は、何れもＸ方向又はＹ方向の少なくとも何れか一方向がその光学有効面内で正から負に変化していることを特徴とするプリズム光学系。
【請求項１３】
請求項１１において、第２反射面、第３反射面は符号の異なるパワーであることを特徴とするプリズム光学系。
【請求項１４】
請求項１３において、全光学系の偏心方向がＹ軸方向で、軸上主光線と平行な面をＹ−Ｚ面とし、そのＹ−Ｚ面と直交する方向をＸ方向とするとき、第２反射面、第３反射面は以下の条件を満たすことを特徴とするプリズム光学系。
０．０１＜｜（ＣＹ2 −ＣＹ3 ）／ＰY ｜＜５            ・・・（５）
ただし、Ｃｙ2 は第２反射面の有効面内におけるＹ方向の最大パワーの曲率、Ｃｙ3 は第３反射面の有効面内におけるＹ方向の最大パワーの曲率、ＰY はプリズム光学系全体のＹ方向のパワーである。ただし、ＣＹ2 ・ＣＹ3 ＜０である。
【請求項１５】
請求項１３において、全光学系の偏心方向がＹ軸方向で、軸上主光線と平行な面をＹ−Ｚ面とし、そのＹ−Ｚ面と直交する方向をＸ方向とするとき、第２反射面、第３反射面は以下の条件を満たすことを特徴とするプリズム光学系。
０．０５＜｜（ＣＹ2 −ＣＹ3 ）／ＰY ｜＜２            ・・・（６）
ただし、Ｃｙ2 は第２反射面の有効面内におけるＹ方向の最大パワーの曲率、Ｃｙ3 は第３反射面の有効面内におけるＹ方向の最大パワーの曲率、ＰY はプリズム光学系全体のＹ方向のパワーである。ただし、ＣＹ2 ・ＣＹ3 ＜０である。
【請求項１６】
請求項１３において、全光学系の偏心方向がＹ軸方向で、軸上主光線と平行な面をＹ−Ｚ面とし、そのＹ−Ｚ面と直交する方向をＸ方向とするとき、第２反射面、第３反射面は以下の条件を満たすことを特徴とするプリズム光学系。
０．０１＜｜（ＣＸ2 −ＣＸ3 ）／ＰX ｜＜５            ・・・（７）
ただし、ＣＸ2 は第２反射面の有効面内におけるＸ方向の最大パワーの曲率、ＣＸ3 は第３反射面の有効面内におけるＸ方向の最大パワーの曲率、ＰX はプリズム光学系全体のＸ方向のパワーとする。ただし、ＣＸ2 ・ＣＸ3 ＜０である。
【請求項１７】
請求項１３において、全光学系の偏心方向がＹ軸方向で、軸上主光線と平行な面をＹ−Ｚ面とし、そのＹ−Ｚ面と直交する方向をＸ方向とするとき、第２反射面、第３反射面は以下の条件を満たすことを特徴とするプリズム光学系。
０．０５＜｜（ＣＸ2 −ＣＸ3 ）／ＰX ｜＜２            ・・・（８）
ただし、ＣＸ2 は第２反射面の有効面内におけるＸ方向の最大パワーの曲率、ＣＸ3 は第３反射面の有効面内におけるＸ方向の最大パワーの曲率、ＰX はプリズム光学系全体のＸ方向のパワーとする。ただし、ＣＸ2 ・ＣＸ3 ＜０である。
【請求項１８】
請求項１又は４において、第２反射面、第３反射面の少なくとも１面により偏心収差を補正していることを特徴とするプリズム光学系。
【請求項１９】
請求項１から３の何れか１項において、第１反射面の反射角は以下の条件式を満たすことを特徴とするプリズム光学系。
１０°＜｜φ1 ｜＜４５°                              ・・・（９）
ただし、φ1 は軸上主光線の第１反射面における反射角である。
【請求項２０】
請求項１から３の何れか１項において、第１反射面の反射角は以下の条件式を満たすことを特徴とするプリズム光学系。
１５°＜｜φ1 ｜＜３５°                            ・・・（１０）
ただし、φ1 は軸上主光線の第１反射面における反射角である。
【請求項２１】
請求項１から３の何れか１項において、第４反射面の反射角は以下の条件式を満たすことを特徴とするプリズム光学系。
１０°＜｜φ4 ｜＜４５°                            ・・・（１１）
ただし、φ4 は軸上主光線の第４反射面における反射角である。
【請求項２２】
請求項１から３の何れか１項において、第４反射面の反射角は以下の条件式を満たすことを特徴とするプリズム光学系。
１５°＜｜φ4 ｜＜３５°                            ・・・（１２）
ただし、φ4 は軸上主光線の第４反射面における反射角である。
【請求項２３】
請求項１から３の何れか１項において、全光学系の偏心方向がＹ軸方向で、軸上主光線と平行な面をＹ−Ｚ面とし、そのＹ−Ｚ面と直交する方向をＸ方向とするとき、第１反射面は以下の条件式を満たすことを特徴とするプリズム光学系。
０．０１＜｜ＣＹ1 ／ＰY ｜＜２                      ・・・（１３）
ただし、ＣＹ1 は第１反射面の有効面内におけるＹ方向の最大パワーの曲率、ＰY はプリズム光学系全体のＹ方向のパワーである。
【請求項２４】
請求項１から３の何れか１項において、全光学系の偏心方向がＹ軸方向で、軸上主光線と平行な面をＹ−Ｚ面とし、そのＹ−Ｚ面と直交する方向をＸ方向とするとき、第１反射面は以下の条件式を満たすことを特徴とするプリズム光学系。
０．１＜｜ＣＹ1 ／ＰY ｜＜０．８                    ・・・（１４）
ただし、ＣＹ1 は第１反射面の有効面内におけるＹ方向の最大パワーの曲率、ＰY はプリズム光学系全体のＹ方向のパワーである。
【請求項２５】
請求項１から３の何れか１項において、全光学系の偏心方向がＹ軸方向で、軸上主光線と平行な面をＹ−Ｚ面とし、そのＹ−Ｚ面と直交する方向をＸ方向とするとき、第１反射面は以下の条件式を満たすことを特徴とするプリズム光学系。
０．０１＜｜ＣＸ1 ／ＰX ｜＜２                      ・・・（１５）
ただし、ＣＸ1 は第１反射面の有効面内におけるＸ方向の最大パワーの曲率、ＰX はプリズム光学系全体のＸ方向のパワーである。
【請求項２６】
請求項１から３の何れか１項において、全光学系の偏心方向がＹ軸方向で、軸上主光線と平行な面をＹ−Ｚ面とし、そのＹ−Ｚ面と直交する方向をＸ方向とするとき、第１反射面は以下の条件式を満たすことを特徴とするプリズム光学系。
０．１＜｜ＣＸ1 ／ＰX ｜＜１                        ・・・（１６）
ただし、ＣＸ1 は第１反射面の有効面内におけるＸ方向の最大パワーの曲率、ＰX はプリズム光学系全体のＸ方向のパワーである。
【請求項２７】
請求項１から３の何れか１項において、全光学系の偏心方向がＹ軸方向で、軸上主光線と平行な面をＹ−Ｚ面とし、そのＹ−Ｚ面と直交する方向をＸ方向とするとき、第４反射面は以下の条件式を満たすことを特徴とするプリズム光学系。
０．０１＜｜ＣＹ4 ／ＰY ｜＜２                      ・・・（１７）
ただし、ＣＹ4 は第４反射面の有効面内におけるＹ方向の最大パワーの曲率、ＰY はプリズム光学系全体のＹ方向のパワーである。
【請求項２８】
請求項１から３の何れか１項において、全光学系の偏心方向がＹ軸方向で、軸上主光線と平行な面をＹ−Ｚ面とし、そのＹ−Ｚ面と直交する方向をＸ方向とするとき、第４反射面は以下の条件式を満たすことを特徴とするプリズム光学系。
０．１＜｜ＣＹ4 ／ＰY ｜＜０．８                    ・・・（１８）
ただし、ＣＹ4 は第４反射面の有効面内におけるＹ方向の最大パワーの曲率、ＰY はプリズム光学系全体のＹ方向のパワーである。
【請求項２９】
請求項１から３の何れか１項において、全光学系の偏心方向がＹ軸方向で、軸上主光線と平行な面をＹ−Ｚ面とし、そのＹ−Ｚ面と直交する方向をＸ方向とするとき、第４反射面は以下の条件式を満たすことを特徴とするプリズム光学系。
０．０１＜｜ＣＸ4 ／ＰX ｜＜２                      ・・・（１９）
ただし、ＣＸ4 は第４反射面の有効面内におけるＸ方向の最大パワーの曲率、ＰX はプリズム光学系全体のＸ方向のパワーである。
【請求項３０】
請求項１から３の何れか１項において、全光学系の偏心方向がＹ軸方向で、軸上主光線と平行な面をＹ−Ｚ面とし、そのＹ−Ｚ面と直交する方向をＸ方向とするとき、第４反射面は以下の条件式を満たすことを特徴とするプリズム光学系。
０．１＜｜ＣＸ4 ／ＰX ｜＜１                        ・・・（２０）
ただし、ＣＸ4 は第４反射面の有効面内におけるＸ方向の最大パワーの曲率、ＰX はプリズム光学系全体のＸ方向のパワーである。
【請求項３１】
請求項１から３の何れか１項において、第１反射面、第４反射面は何れも同じ符号のパワーを持つ回転非対称面で構成されていることを特徴とするプリズム光学系。
【請求項３２】
請求項１から３の何れか１項において、第１反射面、第４反射面は何れも正のパワーを持つ回転非対称面で構成されていることを特徴とするプリズム光学系。
【請求項３３】
請求項１から３の何れか１項において、プリズム光学系に入射する軸上主光線と射出する軸上主光線が以下の条件式を満たすことを特徴とするプリズム光学系。
０°≦θ＜４５°                                    ・・・（２１）
ただし、θはプリズム光学系に入射する軸上主光線と射出する軸上主光線のなす角度である。
【請求項３４】
請求項１から３の何れか１項において、プリズム光学系に入射する軸上主光線と射出する軸上主光線が以下の条件式を満たすことを特徴とするプリズム光学系。
０°≦θ＜２０°                                    ・・・（２２）
ただし、θはプリズム光学系に入射する軸上主光線と射出する軸上主光線のなす角度である。